【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
それぞれがデータを送信及び受信することができる複数の局を備えており、適時選択された少なくとも１つの中間局を介して、発信局から宛先局に複数のデータ・パケットからなるメッセージを送信することを可能とした通信ネットワークであって、各局において、少なくとも１つのプローブ・チャネルを規定し、各局において、プローブ信号の他の局への送信のために、プローブ・チャネルを選択し、該選択されたプローブ・チャネル上で、各局から近隣集合プローブ信号を送信し、近隣集合プローブ信号を探査局から受信した別の近隣局が直接又は間接的に応答することによって、探査局にその宛先局又は中間局としての利用可能性を示すようにした、通信ネットワークにおいて、各局は、
送信データを有する局である場合、該局から、選択されたプローブ・チャネル上で、探査局に対して宛先局又は中間局として利用可能であることを示した他の近隣局へ、１又は複数の特定の宛先局にデータを送信する要求を表す送信要求メッセージを含むデータ転送信号を送信するよう構成され、
探査局に対して宛先局又は中間局として利用可能であることを示した近隣局であって送信要求メッセージを受信した近隣局である場合、該局から、選択されたプローブ・チャネル上で、送信データを有する局へ、該近隣局の宛先局又は中間局として利用可能であることを示す情報を含む送信クリア・メッセージを含むデータ送信信号を送信するよう構成され、
送信データを有する局である場合、該局において、送信クリア・メッセージ内の情報に基づいて、該送信クリア・メッセージを送信した１又は複数の近隣局を選択し、該選択された１又は複数の近隣局に、少なくとも１つのデータ・パケットを送信するよう構成され、
データ・パケットを受信した選択された近隣局である場合、該局から、データ・パケットの受信成功を確認するためのパケット承認メッセージを、送信データを有する局に送信するよう構成されている
ことを特徴とする通信ネットワーク。
【請求項２】
請求項１記載の通信ネットワークにおいて、該通信ネットワークはさらに、発信局からのメッセージの全てのデータ・パケットを成功裏に受信した宛先局から、発信局に対して、直接又は１又は複数の中間局を介して、該データ・パケットの受信を確認するための端末間承認メッセージを送信するよう構成されていることを特徴とする通信ネットワーク。
【請求項３】
請求項２記載の通信ネットワークにおいて、各発信局は、該発信局が端末間承認メッセージを宛先局から受信するまで、メッセージの全てのデータ・パケットを保持するように構成されていることを特徴とする通信ネットワーク。
【請求項４】
請求項２又は３記載の通信ネットワークにおいて、各宛先局は、該宛先局が端末間承認メッセージを発信局に送信するまで、メッセージの全てのデータ・パケットを保持するように構成されていることを特徴とする通信ネットワーク。
【請求項５】
請求項１〜４いずれかに記載の通信ネットワークにおいて、送信データを有する各局は、該送信データを有する局が少なくとも１つのデータ・パケットを選択された局に送信し終えるまで、そして該選択された局が送信されたデータ・パケットの成功裏の受信を確認するまで、該少なくとも１つのデータ・パケットを保持するように構成されていることを特徴とする通信ネットワーク。
【請求項６】
請求項５記載の通信ネットワークにおいて、送信クリア・メッセージを含むデータ転送信号を送信する各局は、送信クリア・メッセージ内に、送信データを有する局として保持しているデータ・パケットに関する情報を含むように構成されていることを特徴とする通信ネットワーク。
【請求項７】
請求項１〜６いずれかに記載の通信ネットワークにおいて、送信クリア・メッセージを送信した選択された近隣局に対して送信データを有する局から送信されたデータ・パケットを受信した近隣局は、該近隣局が、送信データを有し且つ送信クリア・メッセージに続く保持されたデータ・パケットを識別する局よりも宛先値に対して低コストである場合に、受信したデータ・パケットを前方へ続いて送信するために保持するよう構成されていることを特徴とする通信ネットワーク。
【請求項８】
請求項１〜７いずれかに記載の通信ネットワークにおいて、送信クリア・メッセージは、データ送信が可能なデータ・チャネル、時間及び期間を規定しており、探査局に対して宛先局又は中間局として利用可能であることを示した近隣局から送信された送信クリア・メッセージを受け取った局は、送信クリア・メッセージで規定されたデータ・チャネル並びに時間及び期間に、送信を行わないように構成され、可能なデータ送信を阻害しないようにしたことを特徴とする通信ネットワーク。
【請求項９】
請求項１〜８いずれかに記載の通信ネットワークにおいて、送信要求メッセージは、データ送信が可能なデータ・チャネル、時間及び期間を規定しており、送信すべきデータを有する近隣局から送信された送信要求メッセージを受け取った局は、送信要求メッセージで規定されたデータ・チャネル並びに時間及び期間に、データ・メッセージの受信を行わないようスケジュールするように構成され、可能なデータ送信を阻害しないようにしたことを特徴とする通信ネットワーク。
【請求項１０】
複数の局を備えており、各局が、データを送信及び受信することができる通信ネットワークの動作方法であって、通信ネットワークが、適時選択された少なくとも１つの中間局を介して、発信局から宛先局に複数のデータ・パケットからなるメッセージを送信することを可能に構成されている、動作方法であって、
少なくとも１つのプローブ・チャネルを規定するステップと、
各局において、プローブ信号の他の局への送信のために、プローブ・チャネルを選択するステップと、
該選択されたプローブ・チャネル上で、各局から近隣集合プローブ信号を送信し、近隣集合プローブ信号を探査局から受信した他の近隣局が直接又は間接的に応答することによって、探査局にその宛先局又は中間局として利用可能であることを示すステップと、
選択されたプローブ・チャネル上で、送信すべきデータを有する局から、宛先局又は中間局として利用可能であることを探査局に示した他の近隣局へ、１又は複数の特定の宛先局へデータを送信する要求を示す送信要求メッセージからなるデータ転送信号を送信するステップと、
選択されたプローブ・チャネル上で、宛先局又は中間局として利用可能であることを探査局に示しかつ送信要求メッセージを受信した１又は複数の近隣局から、送信すべきデータを有する局に、これら近隣局それぞれの広がりを示す情報を含んでいる送信クリア・メッセージからなるデータ転送信号を送信するステップと、
送信すべきデータを有する局において、送信クリア・メッセージを送信した１又は複数の近隣局を、該送信クリア・メッセージの情報に基づいて選択し、該選択された１又は複数の近隣局に対して少なくとも１つのデータ・パケットを送信するステップと、
少なくとも１つのデータ・パケットを受信した近隣局の各々から、送信データを有する局に、パケット承認メッセージを送信して、データ・パケットの受信成功を確認するステップと
からなることを特徴とする方法。
【請求項１１】
請求項１０記載の方法において、該方法は、
発信局からのメッセージの全てのデータ・パケットを成功裏に受信した宛先局から、発信局に対して、直接又は１又は複数の中間局を介して、端末間承認メッセージを送信して、該データ・パケットの受信を確認するステップ
を含んでいることを特徴とする方法。
【請求項１２】
請求項１１記載の方法において、該方法は、
発信局が端末間承認メッセージを宛先局から受信するまで、発信局によりメッセージの全てのデータ・パケットを保持するステップ
を含んでいることを特徴とする方法。
【請求項１３】
請求項１１又は１２記載の方法において、該方法は、
該宛先局が端末間承認メッセージを発信局に送信するまで、宛先局によりメッセージの全てのデータ・パケットを保持するステップ
を含んでいることを特徴とする方法。
【請求項１４】
請求項１０〜１３いずれかに記載の方法において、該方法は、
送信すべきデータを有する局が少なくとも１つのデータ・パケットを選択された局に送信し終え、そして選択された局が送信されたデータ・パケットの成功裏の受信を確認するまで、送信すべきデータを有する局により該少なくとも１つのデータ・パケットを保持するステップ
を含んでいることを特徴とする方法。
【請求項１５】
請求項１４記載の方法において、該方法は、
データ転送信号を送信する局によって送信された送信クリア・メッセージにより、送信すべきデータを有する局として保持されたデータ・パケットに関する情報を送信するステップ
を含んでいることを特徴とする方法。
【請求項１６】
請求項１０〜１５のいずれかに記載の方法において、送信要求メッセージは、送信すべきデータに関する宛先値までの価格を含み、特定された１又は複数の局に関する宛先値に対するより低価格の局が、送信クリア・メッセージで応答することを特徴とする方法。
【請求項１７】
請求項１６記載の方法において、各送信クリア・メッセージは、特定された１又は複数の局に関する宛先値に対する価格を含み、送信すべきデータを有する局が、データが送信されるべき１又は複数の局を、他のクライテリアの中の、送信クリア・メッセージに含まれる宛先値までの指示された価格に基づいて、選択することを特徴とする方法。
【請求項１８】
請求項１０〜１７いずれかに記載の方法において、送信クリア・メッセージを送信した選択された近隣局へ送信すべきデータを有する局から送信されたデータ・パケットを受信した任意の近隣局は、該データ・パケットを受信した局が送信すべきデータを有する局よりも宛先値に対するより低価格を有する場合に、前方へ送信するためにデータ・パケットを保持し、かつ、自身の送信クリア・メッセージに続いて、保持されたデータ・パケットを識別するよう構成されていることを特徴とする方法。
【請求項１９】
請求項１０〜１８いずれかに記載の方法において、送信クリア・メッセージは、データ送信が可能なデータ・チャネル、時間及び期間を規定しており、探査局に対して宛先局又は中間局として利用可能であることを示した近隣局から送信された送信クリア・メッセージを受信した局は、送信クリア・メッセージで規定されたデータ・チャネル並びに時間及び期間に、送信を行わないように構成されて、可能なデータ送信を阻害しないようにしたことを特徴とする方法。
【請求項２０】
請求項１０〜１９いずれかに記載の方法において、送信要求メッセージは、データ送信が可能なデータ・チャネル、時間及び期間を規定しており、送信すべきデータを有する近隣局から送信された送信要求メッセージを受け取った局は、送信要求メッセージで規定されたデータ・チャネル並びに時間及び期間に、データ・メッセージの受信を行わないようスケジュールするように構成されて、可能なデータ送信を阻害しないようにしたことを特徴とする方法。
【請求項２１】
複数の局を備えており、各局が、データを送信及び受信することができる通信ネットワークであって、適時選択された少なくとも１つの中間局を介して、発信局から宛先局に複数のデータ・パケットからなるメッセージを送信することを可能に構成されている通信ネットワークにおいて、該通信ネットワークは、
各局において、少なくとも１つのプローブ・チャネルを規定し、
各局において、プローブ信号の他の局への送信のために、プローブ・チャネルを選択し、
該選択されたプローブ・チャネル上で、各局から近隣集合プローブ信号を送信し、近隣集合プローブ信号を探査局から受信した他の近隣局が直接又は間接的に応答することによって、探査局にその宛先局又は中間局として利用可能であることを示し、
選択されたプローブ・チャネル上で、送信すべきデータを有する局から、宛先局又は中間局として利用可能であることを探査局に示した他の近隣局へ、１又は複数の特定の宛先局へデータを送信する要求を示す送信要求メッセージからなるデータ転送信号を送信し、
選択されたプローブ・チャネル上で、宛先局又は中間局として利用可能であることを探査局に示しかつ送信要求メッセージを受信した１又は複数の近隣局から、送信すべきデータを有する局に、これら近隣局それぞれの広がりを示す情報を含んでいる送信クリア・メッセージからなるデータ転送信号を送信し、
送信すべきデータを有する局において、送信クリア・メッセージを送信した１又は複数の近隣局を、該送信クリア・メッセージの情報に基づいて選択し、該選択された１又は複数の近隣局に対して少なくとも１つのデータ・パケットを送信し、
少なくとも１つのデータ・パケットを受信した近隣局の各々から、送信データを有する局に、パケット承認メッセージを送信して、データ・パケットの受信成功を確認する
よう構成されていることを特徴とする通信ネットワーク。
【請求項２２】
請求項２１記載の通信ネットワークにおいて、該通信ネットワークは、送信要求メッセージを受信した局から送信すべきデータを有する局に対して、プローブ・チャネル上で、初期の送信要求メッセージからなるデータ転送信号を送信するよう構成され、該初期の送信要求メッセージは、その後の受信レディ・メッセージ及びデータの送信のための選択されたデータ・チャネルに関連するデータを含んでいることを特徴とする通信ネットワーク。
【請求項２３】
請求項２１又は２２記載の通信ネットワークにおいて、各局は、送信すべきデータを有する局に送信された受信レディ・メッセージに、選択されたデータ・チャネル上の経路損失及びノイズの少なくとも一方を示すデータを含ませるよう構成されており、送信すべきデータを有する局が、受信レディ・メッセージを既に送信した局に対して、データ・パケットを成功裏に送信するために必要な送信パワーを計算することができるように構成されていることを特徴とする通信ネットワーク。
【請求項２４】
請求項２１〜２３いずれかに記載の通信ネットワークにおいて、各局は、選択されたデータ・チャネル上で、受信レディ・メッセージをデータ・メッセージに対比して、より高い送信パワー及びより低いデータ速度の少なくとも一方で送信するよう構成されていることを特徴とする通信ネットワーク。
【請求項２５】
請求項２４記載の通信ネットワークにおいて、受信レディ・メッセージは、データ・メッセージに対比して、成功裏に送信される可能性がより高いことを特徴とする通信ネットワーク。
【請求項２６】
請求項２１〜２５いずれかに記載の通信ネットワークにおいて、各局は、受信レディ・メッセージの送信後、送信要求メッセージに含まれる情報によって規定される期間中、選択されたデータ・チャネル上の可能なデータ・メッセージの受信を待機するよう構成されていることを特徴とする通信ネットワーク。
【請求項２７】
複数の局を備えており、各局が、データを送信及び受信することができる通信ネットワークであって、適時選択された少なくとも１つの中間局を介して、発信局から宛先局に複数のデータ・パケットからなるメッセージを送信することを可能に構成されている通信ネットワークにおける動作方法において、該方法は、
少なくとも１つのプローブ・チャネル及び少なくとも１つのデータ・チャネルを規定するステップと、
各局において、プローブ信号の他の局への送信のために、プローブ・チャネルを選択するステップと、
該選択されたプローブ・チャネル上で、各局から近隣集合プローブ信号を送信し、近隣集合プローブ信号を探査局から受信した他の近隣局が直接又は間接的に応答することによって、探査局にその宛先局又は中間局として利用可能であることを示すステップと、
選択されたプローブ・チャネル上で、送信すべきデータを有する局から、宛先局又は中間局として利用可能であることを探査局に示した他の近隣局へ、１又は複数の特定の宛先局へデータを送信する要求を示す送信要求メッセージからなるデータ転送信号を送信するステップと、
宛先局又は中間局として利用可能であることを探査局に示しかつ送信要求メッセージを受信した１又は複数の近隣局から、送信すべきデータを有する局に、選択されたデータ・チャネル上で、宛先局又は中間局として利用可能であることを示した近隣局それぞれの広がりを示す情報を含んでいる受信レディ・メッセージを送信するステップと、
送信すべきデータを有する局において、受信レディ・メッセージを送信した１又は複数の近隣局を、該受信レディ・メッセージの情報に基づいて選択し、該選択された１又は複数の近隣局に対して、選択されたデータ・チャネル上で少なくとも１つのデータ・パケットを送信するステップと、
少なくとも１つのデータ・パケットを受信した近隣局の各々から、送信すべきデータを有する局に、パケット承認メッセージを送信して、データ・パケットの受信成功を確認するステップと
を含んでいることを特徴とする方法。
【請求項２８】
請求項２７記載の方法において、送信要求メッセージを受信する局は、送信すべきデータを有する局へ、選択されたプローブ・チャネル上で、初期の送信クリア・メッセージを含むデータ転送信号を送信するよう構成され、該初期の送信クリア・メッセージは、受信レディ・メッセージ及びデータの後の送信のための選択されたデータ・チャネルに関するデータを含んでいることを特徴とする方法。
【請求項２９】
請求項２８記載の方法において、各局は、送信すべきデータを有する局に送信された受信レディ・メッセージに、選択されたデータ・チャネル上の経路損失及びノイズの少なくとも一方を示すデータを含ませるよう構成されており、送信すべきデータを有する局が、受信レディ・メッセージを既に送信した局に対して、データ・パケットを成功裏に送信するために必要な送信パワーを計算することができるように構成されていることを特徴とする方法。
【請求項３０】
請求項２７〜２９いずれかに記載の方法において、各局は、選択されたデータ・チャネル上で、受信レディ・メッセージをデータ・メッセージに対比して、より高い送信パワーで送信するよう構成されていることを特徴とする方法。
【請求項３１】
請求項３０記載の方法において、受信レディ・メッセージは、データ・メッセージに対比して、成功裏に送信される可能性がより高いことを特徴とする方法。
【請求項３２】
請求項２７〜３１いずれかに記載の方法において、各局は、受信レディ・メッセージの送信後、送信要求メッセージに含まれる情報によって規定される期間中、選択されたデータ・チャネル上の可能なデータ・メッセージの受信を待機するよう構成されていることを特徴とする方法。